(57)【要約】【課題】既設の設備を用いて、外部のコンセントを利用して電気機器を使用する際に、電力使用量を真の利用者に課金するためのシステムを提供する。【解決手段】利用者ごとの電力使用情報が記録されたデータベース１１０を備える管理サーバ１００と、コンセント２００に接続された認証用アダプタ３００と、認証用アダプタ３００と電気の供給及び信号の送受信可能な電源供給部４５０とを備え、認証用アダプタ３００は、コンセント２００を識別するコンセントＩＤを電源供給部４５０に送信し、電源供給部４５０は、認証用アダプタ３００より電気の供給が開始されてから、電気機器機能部４５０の使用が終了するまでの電力使用量を測定し、測定した電力使用量と、受信したコンセントＩＤと、電気機器４００の利用者を識別する利用者ＩＤとを、管理サーバ１００に送信し、管理サーバ１００が受信した情報に基づきデータベース１１０を更新する。【選択図】図１
2008131726.tif 000002
【特許請求の範囲】
【請求項１】
コンセントに接続可能な認証用アダプタと、
前記認証用アダプタに接続されることにより、前記認証用アダプタと相互に通信することができるとともに、前記コンセントから前記認証用アダプタより電力の供給を受け、この電力を電気機器に供給する電源供給部と、を備え、前記電気機器の電力使用量を管理するシステムであって、
前記認証用アダプタは、
前記コンセントの電力を前記電源供給部に供給する供給手段と、
前記コンセントを識別するコンセントＩＤを前記電源供給部に送信するコンセントＩＤ送信手段と、を備え、
前記電源供給部は、
前記認証用アダプタから当該電源供給部を介して、前記電気機器へ供給した電力使用量を測定する電力使用量測定部と、
前記測定した電力使用量と、前記受信したコンセントＩＤと、当該電気機器の利用者を識別する利用者ＩＤとを、前記利用者ごとの電力使用量を含む電力使用情報が記録されたデータベースを備える管理サーバに送信可能とする電力使用情報送信手段と、を備えることを特徴とする電力使用量管理システム。
【請求項２】
コンセントに接続可能な認証用アダプタと、
前記認証用アダプタに接続されることにより、前記認証用アダプタと相互に通信することができるとともに、前記コンセントから前記認証用アダプタより電力の供給を受け、この電力を電気機器に供給する電源供給部と、
利用者ごとの電力使用量を含む電力使用情報が記録されたデータベースを備える管理サーバと、を備え、前記電気機器の電力使用量を管理するシステムであって、
前記認証用アダプタは、
前記コンセントの電力を前記電源供給部に供給する供給手段と、
前記コンセントを識別するコンセントＩＤを前記電源供給部に送信するコンセントＩＤ送信手段と、を備え、
前記電源供給部は、
前記認証用アダプタから当該電源供給部を介して、前記電気機器へ供給した電力使用量を測定する電力使用量測定部と、
前記測定した電力使用量と、前記受信したコンセントＩＤと、当該電気機器の利用者を識別する利用者ＩＤとを前記管理サーバに送信可能とする電力使用情報送信手段と、を備え、
前記管理サーバは、
前記受信した利用者ＩＤに該当する利用者及びコンセントＩＤに該当する利用者の電力使用情報を、前記受信した電力使用量に基づき更新するデータベース更新手段
を備えることを特徴とする電力使用量管理システム。
【請求項３】
前記管理サーバは、
前記データベースに記録された電力使用情報に基づき、電力使用料金を算出する料金算出手段を備えることを特徴とする請求項２に記載の電力使用量管理システム。
【請求項４】
請求項１から３何れかに記載の電力使用量管理システムであって、
前記認証用アダプタは、
前記電源供給部の認証を行う認証部を備え、
前記供給手段は、前記認証部により認証が成功した場合に、前記電気機器へ電力を供給し、認証が失敗した場合には、前記電気機器への電力の供給を禁止することを特徴とする電力使用量管理システム。
【請求項５】
請求項４に記載の電力使用量管理システムであって、
前記電源供給部は、
コンセントを識別するコンセントＩＤと、コンセントＩＤに対応するパスワードが予め記録された認証情報記憶部と、
前記コンセントＩＤ送信手段よりコンセントＩＤを受信すると、受信したコンセントＩＤに対応するパスワードを前記認証情報記憶部から読み出して前記認証用アダプタへ返信するパスワード送信部と、を備え、
前記認証部は、前記コンセントＩＤに対応する認証用パスワードを記録しており、前記パスワード送信手段より返信されたパスワードと、前記認証用パスワードとの比較に基づいて認証を行うことを特徴とする電力使用量管理システム。
【請求項６】
前記電源供給部は、前記電気機器に組み込まれていることを特徴とする請求項１から５何れかに記載の電力使用量管理システム。
【請求項７】
前記認証用アダプタと、前記電源供給部との間の通信は、ＰＬＣ（Ｐｏｗｅｒ  Ｌｉｎｅ  Ｃｏｍｍｕｎｉｃａｔｉｏｎ）により行われることを特徴とする請求項１から６何れかに記載の電力使用量管理システム。
【請求項８】
前記電力使用情報送信手段は、前記電源供給部に搭載された非接触ＩＣカードリーダライタであり、この非接触ＩＣカードリーダライタにかざされた非接触ＩＣカード対応の携帯端末を介して前記測定した電力使用量と、前記受信したコンセントＩＤと、当該電気機器の利用者を識別する利用者ＩＤとを通信することを特徴とする請求項１から７何れかに記載の電力使用量管理システム。
【請求項９】
コンセントに接続可能な認証用アダプタと、
前記認証用アダプタに接続されることにより、前記認証用アダプタと相互に通信することができるとともに、前記コンセントから前記認証用アダプタより電力の供給を受け、この電力を電気機器に供給する電源供給部と、を備えたシステムにより前記電気機器の電力使用量を管理する方法であって、
前記認証用アダプタが、前記コンセントの電力を電源供給部に供給し、
前記認証用アダプタが、前記コンセントを識別するコンセントＩＤを前記電源供給部に送信し、
前記電源供給部が、前記認証用アダプタから当該電源供給部を介して、前記電気機器へ供給した電力使用量を測定し、
前記電源供給部が、前記測定した電力使用量と、前記受信したコンセントＩＤと、予め記録された当該電気機器の利用者を識別する利用者ＩＤとを利用者ごとの電力使用量を含む電力使用情報が記録されたデータベースを備える管理サーバに送信することを特徴とする電力使用量管理方法。
【発明の詳細な説明】
【技術分野】
【０００１】
本発明は、外出先等のコンセントを利用して電気機器を使用した場合にも、電力を使用した本人に電力使用料金を課金するために電力使用量を管理するシステム及び方法に関する。
【背景技術】
【０００２】
通常、電力会社は、各契約者に設けられた電力量計で測定された電力使用量に基づき、当該契約者についての電力使用料金を算出している。このため、契約者の管理下にあるコンセントを利用して当該契約者以外の者が電気機器を使用した場合にも、その利用者ではなく、コンセントを管理する契約者に電力使用料金が課金されてしまう。
【０００３】
これに対して、例えば、特許文献１には、コンセントからの電力供給を許可及び禁止することのできる電力供給側制御装置をコンセント側に設け、電力供給側制御装置がコンセントに接続された電気機器よりユーザを特定するユーザ情報を取得し、取得したユーザ情報と予め登録されているユーザ情報とが一致するかを判定することにより認証を行い、認証が成功した場合には、コンセントからの電力供給を許可するとともに電力使用量を測定し、ユーザ情報及び課金情報を電力会社サーバに送信する電力供給システムが記載されている。このシステムによれば、外出先や屋外のコンセントを利用して電気機器を使用した場合でも、電気機器を使用した利用者に課金することができる。
【特許文献１】特開２００６−９４６５５号公報
【発明の開示】
【発明が解決しようとする課題】
【０００４】
しかしながら、特許文献１記載のシステムでは、コンセント側に電力使用量を測定する機能、及び、ユーザ情報及び課金情報を電力会社サーバに送信する機能を備えた電力供給側制御装置を設けなければならない。このため、コンセント側に電力供給側制御装置を設置するための工事を行わなければならず、コストや手間がかかるという問題がある。
【０００５】
本発明は、上記の問題に鑑みなされたものであり、その目的は、コンセントに新たに設備等を設けるための工事などを行うことなく、外部のコンセントを利用して電気機器を使用する際に、その電気機器の使用者に電力使用料金を課金できるようにするためのシステムを提供することである。
【課題を解決するための手段】
【０００６】
本発明の電力使用量管理システムは、コンセントに接続可能な認証用アダプタと、前記認証用アダプタに接続されることにより、前記認証用アダプタと相互に通信することができるとともに、前記コンセントから前記認証用アダプタより電力の供給を受け、この電力を電気機器に供給する電源供給部と、を備え、前記電気機器の電力使用量を管理するシステムであって、前記認証用アダプタは、前記コンセントの電力を前記電源供給部に供給する供給手段と、前記コンセントを識別するコンセントＩＤを前記電源供給部に送信するコンセントＩＤ送信手段と、を備え、前記電源供給部は、前記認証用アダプタから当該電源供給部を介して、前記電気機器へ供給した電力使用量を測定する電力使用量測定部と、前記測定した電力使用量と、前記受信したコンセントＩＤと、当該電気機器の利用者を識別する利用者ＩＤとを前記利用者ごとの電力使用量を含む電力使用情報が記録されたデータベースを備える管理サーバに送信可能とする電力使用情報送信手段と、を備えることを特徴とする。
【０００７】
また、本発明の電力使用量管理システムは、コンセントに接続可能な認証用アダプタと、前記認証用アダプタに接続されることにより、前記認証用アダプタと相互に通信することができるとともに、前記コンセントから前記認証用アダプタより電力の供給を受け、この電力を電気機器に供給する電源供給部と、利用者ごとの電力使用量を含む電力使用情報が記録されたデータベースを備える管理サーバと、を備え、前記電気機器の電力使用量を管理するシステムであって、前記認証用アダプタは、前記コンセントの電力を前記電源供給部に供給する供給手段と、前記コンセントを識別するコンセントＩＤを前記電源供給部に送信するコンセントＩＤ送信手段と、を備え、前記電源供給部は、前記認証用アダプタから当該電源供給部を介して、前記電気機器へ供給した電力使用量を測定する電力使用量測定部と、前記測定した電力使用量と、前記受信したコンセントＩＤと、当該電気機器の利用者を識別する利用者ＩＤとを前記管理サーバに送信可能とする電力使用情報送信手段と、を備え、前記管理サーバは、前記受信した利用者ＩＤに該当する利用者及びコンセントＩＤに該当する利用者の電力使用情報を、前記受信した電力使用量に基づき更新するデータベース更新手段を備えることを特徴とする。
上記の電力使用量の管理システムにおいて、前記管理サーバは、前記データベースに記録された電力使用情報に基づき、電力使用料金を算出する料金算出手段を備えてもよい。
【０００８】
また、前記認証用アダプタは、前記電源供給部の認証を行う認証部を備え、前記電力供給手段は、前記認証部により認証が成功した場合に、前記電気機器へ電力を供給し、認証が失敗した場合には、前記電気機器への電力の供給を禁止してもよい。
【０００９】
また、前記電源供給部は、コンセントを識別するコンセントＩＤと、コンセントＩＤに対応するパスワードが予め記録された認証情報記憶部と、前記コンセントＩＤ送信手段よりコンセントＩＤを受信すると、受信したコンセントＩＤに対応するパスワードを前記認証情報記憶部から読み出して前記認証用アダプタへ返信するパスワード送信部と、を備え、前記認証部は、前記コンセントＩＤに対応する認証用パスワードを記録しており、前記パスワード送信手段より返信されたパスワードと、前記認証用パスワードとの比較に基づいて認証を行ってもよい。
また、前記電源供給部は、前記電気機器に組み込まれていてもよい。
また、前記電源供給部は、前記認証用アダプタと、前記電源供給部との間の通信は、ＰＬＣ（Ｐｏｗｅｒ  Ｌｉｎｅ  Ｃｏｍｍｕｎｉｃａｔｉｏｎ）により行われてもよい。
【００１０】
また、前記電力使用情報送信手段は、前記電源供給部に搭載された非接触ＩＣカードリーダライタであり、この非接触ＩＣカードリーダライタにかざされた非接触ＩＣカード対応の携帯端末を介して前記測定した電力使用量と、前記受信したコンセントＩＤと、当該電気機器の利用者を識別する利用者ＩＤとを通信してもよい。
【００１１】
また、本発明の電力使用量の管理方法は、コンセントに接続可能な認証用アダプタと、前記認証用アダプタに接続されることにより、前記認証用アダプタと相互に通信することができるとともに、前記コンセントから前記認証用アダプタより電力の供給を受け、この電力を電気機器に供給する電源供給部と、を備えたシステムにより前記電気機器の電力使用量を管理する方法であって、前記認証用アダプタが、前記コンセントの電力を電源供給部に供給し、前記認証用アダプタが、前記コンセントを識別するコンセントＩＤを前記電源供給部に送信し、前記電源供給部が、前記認証用アダプタから当該電源供給部を介して、前記電気機器へ供給した電力使用量を測定し、前記電源供給部が、前記測定した電力使用量と、前記受信したコンセントＩＤと、予め記録された当該電気機器の利用者を識別する利用者ＩＤとを利用者ごとの電力使用量を含む電力使用情報が記録されたデータベースを備える管理サーバに送信することを特徴とする。
【発明の効果】
【００１２】
本発明によれば、外部のコンセントに認証用アダプタを取付けるだけで、他の利用者がコンセントを利用した場合に、その利用者の電力使用量を管理することができる。このため、コンセント側に新たな設備を設置するなどの工事を行う必要がなく、手間がかからず低コストで真の利用者に電力使用料金を課金することができる。
【発明を実施するための最良の形態】
【００１３】
以下、本発明の電力使用量管理システムの一実施形態について、図面を参照しながら説明する。
図１は、本実施形態の電力使用量管理システム１０の構成を示す図である。本実施形態の電力使用量管理システム１０は、電気機器４００の利用者が、外出先等の既設のコンセント２００を用いて電気機器４００を使用した場合に、電力を使用した利用者本人に電力使用料金を課金するためのシステムである。同図に示すように、電力使用量管理システム１０は、コンセント２００に接続された認証用アダプタ３００と、電気機器４００に組み込まれ、認証用アダプタ３００より電力が供給されるとともに認証用アダプタ３００とＰＬＣ（Ｐｏｗｅｒ  Ｌｉｎｅ  Ｃｏｍｍｕｎｉｃａｔｉｏｎ）により通信可能な電源供給部４５０と、電力会社などに設けられた電力使用情報データベース１１０を備えた管理サーバ１００と、で構成される。
また、電源供給部４５０には、非接触ＩＣカードリーダライタ４１４が搭載されており、非接触ＩＣカード対応の携帯端末５００により管理サーバ１００にアクセスすることができる。なお、携帯端末５００には、予め利用者ごとに割り振られた利用者ＩＤが記録されている。
【００１４】
図２は、認証用アダプタ３００の構成を示す図である。同図に示すように、認証用アダプタ３００は、コンセント２００に接続するための接続プラグ３１０と、電力供給制御部３１１と、ＰＬＣモデム３１２と、コンセント３１３と、電気機器接続検出部３１４と、ＣＰＵ３１５と、ＲＡＭ３１６と、ＲＯＭ３１７と、認証部３１８とを備える。
【００１５】
電力供給制御部３１１は、接続プラグ３１０とコンセント３１３との間の電気的な接続と遮断とを切り換えることにより、コンセント３１３への電力供給を許可又は禁止することができる。なお、初期状態では、コンセント３１３への電力供給は禁止されているものとする。
【００１６】
コンセント３１３は、電源供給部４５０の接続プラグ４１０を接続することができる。
ＰＬＣモデム３１２は、ＣＰＵ３１５から出力された信号を、電気機器４００へ供給する電力に電気信号として重畳して送信し、また、電気機器４００から電力線を介して送信されてきた信号を分離して取り出すことができる。
電気機器接続検出部３１４は、コンセント３１３に電気機器４００の接続プラグ４１０が接続されたか否かを判定する。
【００１７】
認証部３１８は、予め、接続プラグ３１０が差し込まれるコンセント２００を識別するためのコンセントＩＤとこのコンセントＩＤに対応する認証用パスワードとが記録されており、電気機器接続検出部３１４がコンセント３１３に接続プラグ４１０が接続されたことを検知すると、ＰＬＣモデム３１２を介してＰＬＣにより電気機器４００に対してコンセントＩＤを含むパスワード要求信号を送信する。そして、電気機器４００より返信されたパスワードと認証用パスワードとを比較することにより認証を行う。
なお、電気機器接続検出部３１４及び認証部３１８はＣＰＵ３１５がＲＡＭ３１６及びＲＯＭ３１７に記憶された所定のプログラムを実行することにより実現される。
【００１８】
図３は、電気機器４００の構成を示す図である。同図に示すように、電気機器４００は、電気機器４００としての機能を実現する電気機器機能部４１３と、電気機器機能部４１３に電力を供給する電源供給部４５０とを備え、電源供給部４５０は、接続プラグ４１０と、ＰＬＣモデム４１１と、電力量測定部４１２と、非接触ＩＣカードリーダライタ４１４と、ＣＰＵ４１５と、ＲＡＭ４１６と、ＲＯＭ４１７と、時計部４１８と、認証情報記憶部４１９と、パスワード送信部４２０とを有する。
電気機器機能部４１３は、電源供給部４５０から、電力が供給されることにより、例えば、携帯型コンピュータや車載充電器などの電気機器としての機能を実現する。
【００１９】
電力量測定部４１２は、接続プラグ４１０より供給されて電気機器４００により使用された電力量を測定する。測定された電力使用量は時計部４１８より取得した電力を使用した時刻とともに、ＲＡＭ４１６に記録される。
認証情報記憶部４１９は、予め、電気機器４００が接続される可能性のあるコンセントに設定された複数のコンセントＩＤ（以下、コンセントＩＤという）と、各コンセントＩＤに対応するパスワードとが対応付けられて記録されている。
パスワード送信部４２０は、認証用アダプタ３００の認証部３１８よりＰＬＣモデム４１１を介して、コンセントＩＤを含むパスワード要求信号を受信すると、該当するコンセントＩＤのパスワードを認証情報記憶部４１９から読み出して認証用アダプタ３００にＰＬＣモデム４１１を介して返信する。
ＲＡＭ４１６には、後述するように電力量測定部４１２で測定された電力使用量及び時計部４１８により検知された電力使用開始時刻及び終了時刻が記録される。
なお、電力量測定部４１２、及びパスワード送信部４２０はＣＰＵ４１５がＲＯＭ４１７に予め記憶された所定のプログラムを実行することにより実現される。
【００２０】
図１に戻り、管理サーバ１００は、電力使用情報データベース１１０を備える。電力使用情報データベース１１０には、図４に示すように、各利用者について、利用者ＩＤと、当該利用者が電力使用量を負担すべきコンセントのコンセントＩＤと、電力会社の契約形態と、電力使用量及び使用開始／終了時刻などの電力使用情報と、が対応付けられて記録されている。管理サーバ１００は、電力使用情報データベース１１０に記録された情報に基づき、利用者ＩＤごとの電力使用料金を算出することができる。
【００２１】
コンセント２００には、電力会社より送られた電力が供給されており、このコンセント２００での電力使用量を測定する電力量計２１０が接続されている。電力量計２１０で測定された電力使用量は、オンライン又は作業員が巡回するなどの方法により調べられ、管理サーバ１００の電力使用情報データベース１１０に記録される。
【００２２】
以下、電力使用量管理システム１０により電力使用料金を課金する際の処理の流れを説明する。
図５は、電力使用料金の課金処理の流れを示すフローチャートである。同図に示すように、まず、ステップ１００において、認証用アダプタ３００が、電気機器接続検出部３１４によりコンセント３１３に接続プラグ４１０が接続されているか否かを判定する。その結果、接続プラグ４１０が接続されていないと判定された場合には、接続プラグ４１０の接続が検知されるまでステップ１００の処理を繰り返す。そして、ステップ１００において接続プラグ４１０が接続されたと判定されると、ステップ１１０において、認証部３１８によりＰＬＣモデム３１２を介して電源供給部４５０へコンセントＩＤを含むパスワード要求信号を送信する。
【００２３】
ステップ１２０において、電源供給部４５０が、認証用アダプタ３００から送信されたパスワード要求信号を受信すると、ステップ１３０において、パスワード送信部４２０により、パスワード要求信号に含まれるコンセントＩＤに対応するパスワードをＰＬＣモデム４１１を介して認証用アダプタ３００に送信する。
【００２４】
ステップ１４０において、認証用アダプタ３００が電源供給部４５０からパスワードを受信すると、ステップ１５０において、認証部３１８により、予め記録されている認証用パスワードと受信したパスワードとを比較して、これらが一致した場合には認証が成功したと判定し、一致しない場合には認証は失敗したと判定する。
【００２５】
ステップ１５０において、認証部３１８により認証が成功したと判定された場合には、次に、ステップ１６０において、認証用アダプタ３００は、電力供給制御部３１１により、コンセント３１３への電力供給を許可する。これにより、コンセント３１３より電気機器４００へ電力が供給される。また、認証部３１８により認証が失敗したと判定した場合には、ステップ２４０において、認証用アダプタ３００が、電力供給制御部３１１により、コンセント３１３への電力供給を禁止したまま、処理を終了する。
【００２６】
電源供給部４５０は、認証用アダプタ３００より電力が供給されると、ステップ１７０において、電力量測定部４１２により、電気機器機能部４１３により使用された電力量の測定を開始する。そして、ステップ１８０において、電気機器機能部４１３への電力供給を開始する。
【００２７】
電源供給部４５０は、接続プラグ４１０の電圧を常時監視しており、この電圧がゼロになると、接続プラグ４１０がコンセント３１３から抜かれた（つまり、電気機器機能部４１３の使用が終了した）と判断して、ステップ１９０において、電力量測定部４１２の測定を終了する。電力量測定部４１２により測定された電力使用量は、時計部４１８により測定された電力の使用を開始した開始時刻及び使用を終了した終了時刻とともにＲＡＭ４１６に記憶される。
【００２８】
次に、電源供給部４５０は、ステップ２００において、ＲＡＭ４１６から、コンセントＩＤと、電力使用量及び使用時刻とを含む電力使用情報を読み出し、これらの電力使用情報を非接触ＩＣカードリーダライタ４１４に供給する。この状態で携帯端末５００がＩＣカードリーダライタ４１４にかざされると、携帯端末５００はコンセントＩＤ及び電力使用情報をＩＣカードリーダライタ４１４から読取り、所定の送信操作が行われると、そのコンセントＩＤ及び電力使用情報を予め記録された利用者ＩＤとともに管理サーバ１００へ送信する。
【００２９】
ステップ２１０において、管理サーバ１００が、利用者ＩＤと、コンセントＩＤと、電力使用情報を受信すると、ステップ２２０において、電力使用情報データベース１１０において、受信した利用者ＩＤに対応付けて電力使用情報を記録するとともに、受信したコンセントＩＤに該当する利用者ＩＤに対応付けて受信した電力使用情報を料金算出の際に控除すべき情報（電力控除情報という）として記録する。そして、ステップ２３０において、管理サーバ１００は電力使用情報データベース１１０に記録された各利用者ＩＤの電力使用情報及び電力控除情報に基づき、電力使用料金を算出する。すなわち、電力使用情報に含まれる電力使用量を加算し、また、電力控除情報に含まれる電力使用量を差し引いて、課金の対象となる電力使用量を計算し、その電力使用量に基づいて電力使用料金を計算する。
これにより、利用者ＩＤに該当する利用者、すなわち、コンセント２００より電力を使用した利用者に対して、電力使用料金を課金できるとともに、コンセント２００の契約者に対して電力使用料金が課金されることを防ぐことができる。
【００３０】
なお、電力の使用時間帯により割引の適用のある契約形態の場合には、電力使用情報に含まれる電力使用開始時刻及び終了時刻を考慮して電力使用料金を算出することができる。このような場合には、ステップ１７０〜ステップ１９０において、電力量測定部４１２が所定の時間帯ごとの電力使用量を測定し、管理サーバ１００は測定された各時間帯の電力使用量を電力使用情報及び電力控除情報として電力使用情報データベース１１０に記録し、記録された各時間帯の電力使用量に基づき、電力使用料金を算出すればよい。
【００３１】
本実施形態の電力使用量管理システム１０によれば、以下の効果が得られる。
コンセント２００に簡易な認証用アダプタ３００を接続するだけで、コンセント２００を利用した利用者に電力使用料金を課金することができる。このため、新たな設備を設置する必要がなく、低コストで利用した本人に電力使用料金を課金することのできるシステムを構築できる。
また、管理サーバ１００は、携帯端末５００に記録された利用者ＩＤに基づき、電力使用情報データベース１１０を更新し、利用者に課金を行うため、他の利用者の電気機器４００を利用した場合であっても、電気機器４００の使用者に課金を行うことができる。
【００３２】
なお、上記の実施形態では、認証用アダプタ３００と電源供給部４５０との間をＰＬＣ回線により接続したが、これに限らず、電力を供給する電気回線と、通信用の回線とを夫々設ける構成としてもよい。
また、本実施形態では、電源供給部４５０が電気機器４００に組み込まれた構成としが、これに限らず、電源供給部４５０を独立した装置とすることもできる。
また、本実施形態では、認証部３１８及びパスワード送信部４２０により認証が成功した場合に、電力供給制御部３１１が電気の供給を許可する構成としたが、認証が不要な場合には、認証部３１８、電力供給制御部３１１、認証情報記憶部４１９及びパスワード送信部４２０を省略することも可能である。このような場合には、認証用アダプタ３００に電源供給部４５０にコンセントＩＤを送信する手段を設け、電源供給部４５０は、受信したコンセントＩＤを利用者ＩＤと、電力使用量及び使用時刻とともに管理サーバ１００に送信すればよい。
【図面の簡単な説明】
【００３３】
【図１】本実施形態の電力使用量管理システムの構成を示す図である。
【図２】認証用アダプタの構成を示す図である。
【図３】電気機器の構成を示す図である。
【図４】電力使用情報データベースに記録された情報の構成を示す図である。
【図５】電力使用料金の課金の処理の流れを示すフローチャートである。
【符号の説明】
【００３４】
１０    電力使用量管理システム
１００  管理サーバ
１１０  電力使用情報データベース
２００  コンセント
２１０  電力量計
３００  認証用アダプタ
３１０  接続プラグ
３１１  電力供給制御部
３１２、４１１  ＰＬＣモデム
３１３  コンセント
３１４  電気機器接続検知部
３１５，４１５  ＣＰＵ
３１６、４１６  ＲＡＭ
３１７、４１７  ＲＯＭ
３１８  認証部
４００  電気機器
４１０  接続プラグ
４１２  電力量測定部
４１３  電力機器機能部
４１４  非接触ＩＣカードリーダライタ
４１８  時計部
４１９  認証情報記憶部
４２０  パスワード送信部
４５０  電源供給部
５００  携帯端末
【図１】
2008131726.tif 000003
【図２】
2008131726.tif 000004
【図３】
2008131726.tif 000005
【図４】
2008131726.tif 000006
【図５】
2008131726.tif 000007